(57)【要約】【課題】  本発明は一方の建物と他方の建物から突出するスラブを設けて構成することにより、設置が容易で、短期間にでき、安全に使用することができる渡り通路を得るにある。【解決手段】  一方の建物の一方の床スラブの先端部と目地部を介して設けられた他方の建物の他方の床スラブと、この他方の床スラブと前記一方の床スラブに両端部がスライド移動可能に取付けられた目地プレートと、この目地プレートの両端部を除く両側部に固定された一対の固定手摺と、この一対の固定手摺の両端部に一端部が回動可能に取付けられ、他端部が一方の床スラブおよび他方の床スラブの根本部あるいは一方の床スラブおよび他方の床スラブが形成された部位の一方の建物と他方の建物の躯体に回動可能に取付けられた伸縮可能な二対の伸縮手摺と、目地プレートのほぼ中央部を目地部のほぼ中央部へ常時位置させる中央維持機構と渡り通路を構成している。【選択図】  図１
2008196289.tif 000002
【特許請求の範囲】
【請求項１】
一方の建物より突出させた渡り通路として使用される一方の床スラブの先端部と目地部を介して設けられた他方の建物より突出された他方の床スラブと、この他方の床スラブと前記一方の床スラブに両端部がスライド移動可能に取付けられた目地プレートと、この目地プレートの両端部を除く両側部に固定された一対の固定手摺と、この一対の固定手摺の両端部に一端部が回動可能に取付けられ、他端部が前記一方の床スラブおよび他方の床スラブの根本部あるいは一方の床スラブおよび他方の床スラブが形成された部位の一方の建物と他方の建物の躯体に回動可能に取付けられた伸縮可能な二対の伸縮手摺と、前記目地プレートのほぼ中央部を前記目地部のほぼ中央部へ常時位置させる中央維持機構とからなることを特徴とする渡り通路。
【請求項２】
一方の建物より突出させた渡り通路として使用される一方の床スラブの先端部と目地部を介して設けられた他方の建物より突出された他方の床スラブと、この他方の床スラブと前記一方の床スラブに両端部がスライド移動可能に取付けられた目地プレートと、この目地プレートの両端部を除く両側部に固定された一対の固定手摺と、この一対の固定手摺の両端部に一端部が回動可能に取付けられ、他端部が前記一方の床スラブおよび他方の床スラブの根本部あるいは一方の床スラブおよび他方の床スラブが形成された部位の一方の建物と他方の建物の躯体に回動可能に取付けられた伸縮可能な二対の伸縮手摺と、前記目地プレートのほぼ中央底面に取付けられたピニオン、このピニオンと噛み合う後端部が一方の床スラブと他方の床スラブに枢支された一対のラック、この一対のラックと前記ピニオンとを噛み合わせるとともに、該一対のラックのスライド移動を可能に支持する支持部材とからなる中央維持機構とを備えることを特徴とする渡り通路。
【発明の詳細な説明】
【技術分野】
【０００１】
本発明は一方の建物と他方の建物とを接続する渡り通路に関する。
【背景技術】
【０００２】
従来の渡り通路は一方の建物と他方の建物に先端部が床躯体で、他の部位に側壁を設けた一方の渡り通路と他方の渡り通路を形成して、該一方の渡り通路と他方の渡り通路を接続する渡り通路用目地装置を設けて構成している。
【０００３】
このため、一方の建物と他方の建物に一方の渡り通路と他方の渡り通路を形成しなければならず、設置に手数がかかり、簡単に設置することができないという欠点があった。
【特許文献１】特許第３８２０１８７号
【発明の開示】
【発明が解決しようとする課題】
【０００４】
本発明は以上のような従来の欠点に鑑み、一方の建物と他方の建物から突出するスラブを設けて構成することにより、設置が容易で、短期間にでき、安全に使用することができる渡り通路を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物より突出させた渡り通路として使用される一方の床スラブの先端部と目地部を介して設けられた他方の建物より突出された他方の床スラブと、この他方の床スラブと前記一方の床スラブに両端部がスライド移動可能に取付けられた目地プレートと、この目地プレートの両端部を除く両側部に固定された一対の固定手摺と、この一対の固定手摺の両端部に一端部が回動可能に取付けられ、他端部が前記一方の床スラブおよび他方の床スラブの根本部あるいは一方の床スラブおよび他方の床スラブが形成された部位の一方の建物と他方の建物の躯体に回動可能に取付けられた伸縮可能な二対の伸縮手摺と、前記目地プレートのほぼ中央部を前記目地部のほぼ中央部へ常時位置させる中央維持機構と渡り通路を構成している。
【発明の効果】
【０００７】
以上の説明から明らかなように、本発明にあっては次に列挙する効果が得られる。
【０００８】
（１）一方の建物より突出させた渡り通路として使用される一方の床スラブの先端部と目地部を介して設けられた他方の建物より突出された他方の床スラブと、この他方の床スラブと前記一方の床スラブに両端部がスライド移動可能に取付けられた目地プレートと、この目地プレートの両端部を除く両側部に固定された一対の固定手摺と、この一対の固定手摺の両端部に一端部が回動可能に取付けられ、他端部が前記一方の床スラブおよび他方の床スラブの根本部あるいは一方の床スラブおよび他方の床スラブが形成された部位の一方の建物と他方の建物の躯体に回動可能に取付けられた伸縮可能な二対の伸縮手摺と、前記目地プレートのほぼ中央部を前記目地部のほぼ中央部へ常時位置させる中央維持機構とで構成されているので、一方の建物より突出している一方の床スラブと他方の建物より突出している他方の床スラブを用いて設置することができる。
したがって、一方の床スラブと他方の床スラブの形成が容易で、短期間に設置することができる。
【０００９】
（２）前記（１）によって、目地部を目地プレートで覆うとともに、該目地プレートの両側部に固定した一対の固定手摺と、二対の伸縮手摺によって床面および両側部に隙間が生じることなく、安全に使用することができる。
【００１０】
（３）前記（１）によって、一方の建物と他方の建物が異なる前後左右方向に地震等で揺れ動いた場合に、目地部のほぼ中央部に、目地プレートのほぼ中央部に位置するように中央維持機構によって移動されるとともに、一対の固定手摺の両端部に設けられた二対の伸縮手摺は伸縮と両端部の回動によって、床面や側面に隙間が生じることなく、その揺れ動きを吸収することができる。
【００１１】
（４）前記（１）によって、構造が簡単であるので、容易に設置することができる。
【００１２】
（５）請求項２も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は一方の建物２と他方の建物３とを連通する本発明の渡り通路で、この渡り通路１は前記一方の建物２より突出させた渡り通路として使用される一方の床スラブ４の先端部と目地部５を介して設けられた前記他方の建物３より突出させた他方の床スラブ６と、この他方の床スラブ６と前記一方の床スラブ４に両端部がスライド移動可能に取付けられた両端部が傾斜面７、７に形成された目地プレート８と、この目地プレート８の両端部の傾斜面７、７を除く両側部に固定された一対の固定手摺９、９と、この一対の固定手摺９、９の両端部に一端部が枢支金具１０、１０によって回動可能に取付けられ、他端部が前記一方の床スラブ４および他方の床スラブ６が形成された部位の一方の建物２と他方の建物３の躯体２ａ、３ａに枢支金具１０Ａ、１０Ａによって回動可能に取付けられた伸縮可能な二対の伸縮手摺１１、１１、１１、１１と、前記目地プレート８のほぼ中央部を前記目地部５のほぼ中央部に常時位置させる中央維持機構１２とで構成されている。
【００１５】
前記二対の伸縮手摺１１、１１、１１、１１は図５に示す薄い箱状の内側伸縮手摺１３と、この内側伸縮手摺１３の外側端部の上下部に形成された軸受部材１４、１４と、前記内側伸縮手摺１３がスライド移動可能に内側へ挿入される筒状の外側伸縮手摺１５と、この外側伸縮手摺１５の外側端部の上下部に形成された軸受部材１４、１４とで構成されている。
【００１６】
前記枢支金具１０Ａ、１０Ａは前記二対の伸縮手摺１１、１１、１１、１１の両端部の軸受部材１４、１４、１４、１４を支持できるように一方の建物２および他方の建物３の躯体２ａ、３ａに固定された軸受部材１４Ａ、１４Ａ、１４Ａ、１４Ａと、この軸受部材１４Ａ、１４Ａ、１４Ａ、１４Ａと前記二対の伸縮手摺１１、１１、１１、１１の軸受部材１４、１４、１４、１４の軸孔１７、１７、１７、１７に挿入されるボルト１８、ナット１９とからなる枢支部材２０、２０、２０、２０とで構成されている。
なお、一対の固定手摺９、９の両端部には軸受部材１６、１６、１６、１６が設けられ、該軸受部材１６、１６、１６、１６と前記軸受部材１４、１４、１４、１４を枢支部材２０、２０、２０、２０で枢支している。  
【００１７】
前記中央維持機構１２は図６に示すように、前記目地プレート８のほぼ中央部の底面に固定された軸２１に回転可能に取付けられたピニオン２２と、このピニオン２２と噛み合う後端部が一方の床スラブ４のほぼ中央の底面と他方の床スラブ６のほぼ中央部の底面に枢支ピン２３、２３で枢支された一対のラック２４、２４と、この一対のラック２４、２４と前記ピニオン２２とを噛み合わせるとともに、該一対のラック２４、２４のスライド移動を可能に支持する前記目地プレート８の底面に固定された支持部材２５とで構成されている。
【００１８】
上記構成の渡り通路１は一方の床スラブ４と他方の床スラブ６を接続するように目地プレート８が配置され、該目地プレート８の両側部の一対の固定手摺９、９の両端部と一方の建物２の躯体２ａと他方の建物３の躯体３ａとを二対の伸縮手摺１１、１１、１１、１１によって、一方あるいは他方の床スラブ４、６の側面を覆っているため、安全に使用することができる。
また、地震等によって、一方の建物２と他方の建物３が異なる前後方向に揺れ動いた場合には、図７および図８に示すように、目地部５のほぼ中央部に目地プレート８のほぼ中央部が常時位置するように中央維持機構１２で目地プレート８を移動させて、その揺れ動きを吸収する。
さらに、異なる左右方向に揺れ動いた場合には、図９に示すように、目地プレート８のほぼ中央部が中央維持機構１２で目地部の中央に位置するように位置させ、二対の伸縮手摺１１、１１、１１、１１によって回動するが、渡り通路１は一方の床スラブ４、目地プレート８および他方の床スラブ６によって、床面は隙間なく、覆われる。
また、側面は一対の固定手摺９、９および二対の伸縮手摺１１、１１、１１、１１によって隙間が生じることなく覆った状態を保って、その揺れ動きを吸収する。揺れ動きが停止すると、二対の伸縮手摺１１、１１、１１、１１が元に戻るため、目地プレート８も自動的に元の状態へ戻る。
なお、目地プレート８の両端部の一方の床スラブ４と他方の床スラブ６に支持される寸法は目地部５の幅寸法の２分の１でよく、実際はそれよりもわずかに大きい寸法設定にするとよい。
[発明を実施するための異なる形態]
【００１９】
次に、図１０ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記本発明を実施するための最良の第１の形態と主に異なる点は、パンタグラフ形状の中央維持機構１２Ａを用いた点で、このような中央維持機構１２Ａを用いて構成した渡り通路１Ａにしても、前記本発明を実施するための最良の第１の形態と同様な作用効果が得られる。
【００２１】
図１３ないし図１５に示す本発明を実施するための第３の形態において、前記本発明を実施するための最良の第１の形態と主に異なる点は、一方の床スラブ４と他方の床スラブ６の上面で、目地部５側が順次拡開するＶ字状の凹部２６、２６を形成し、該凹部２６、２６に中央維持機構１２を配置するとともに、凹部２６、２６を覆うカバープレート２７、２７を一方の床スラブ４と他方の床スラブ６に固定した点で、このように構成した渡り通路１Ｂにしても、前記本発明を実施するための最良の第１の形態と同様な作用効果が得られる。
【００２２】
図１６ないし図１８に示す本発明を実施するための第４の形態において、前記本発明を実施するための最良の第１の形態と主に異なる点は、一方の床スラブ４の一方の建物２近傍に一対の回転可能な軸２８、２８を設けるとともに、他方の床スラブ６の他方の建物３近傍に一対の回転可能な軸２８、２８を設けて、二対の伸縮手摺１１Ａ、１１Ａ、１１Ａ、１１Ａを軸２８、２８、２８、２８に回動可能に取付けた点で、このように二対の伸縮手摺１１Ａ、１１Ａ、１１Ａ、１１Ａを取付けて構成した渡り通路１Ｃにしても、前記本発明を実施するための最良の第１の形態と同様な作用効果が得られる。
【００２３】
なお、前記本発明を実施するための各形態ではスライド移動する二対の伸縮手摺１１、１１、１１、１１あるいは１１Ａ、１１Ａ、１１Ａ、１１Ａを用いるものについて説明したが、本発明はこれに限らず、内側伸縮手摺１３と外側伸縮手摺１５との間にパンタグラフやスプリングを設けたものを用いてもよい。
また、側面を覆うことができる一対の固定手摺９、９と二対の伸縮手摺１１、１１、１１、１１を用いるものについて説明したが、格子状やバー状の手摺を用いてもよい。
【産業上の利用可能性】
【００２４】
本発明は渡り通路を製造する産業で利用される。
【図面の簡単な説明】
【００２５】
【図１】本発明を実施するための最良の第１の形態の平面図。
【図２】本発明を実施するための最良の第１の形態の正面図。
【図３】本発明を実施するための最良の第１の形態の底面図。
【図４】図１の４−４線に沿う断面図。
【図５】本発明を実施するための最良の第１の形態の伸縮手摺の説明図。
【図６】本発明を実施するための最良の第１の形態の中央維持機構の説明図。
【図７】本発明を実施するための最良の第１の形態の目地部が狭くなった動作説明図。
【図８】本発明を実施するための最良の第１の形態の目地部が広くなった動作説明図。
【図９】本発明を実施するための最良の第１の形態の異なる前後方向へ移動した動作説明図。
【図１０】本発明を実施するための第２の形態の平面図。
【図１１】本発明を実施するための第２の形態の底面図。
【図１２】本発明を実施するための第２の形態の中央維持機構の説明図。
【図１３】本発明を実施するための第３の形態の平面図。
【図１４】本発明を実施するための第３の形態の断面図。
【図１５】本発明を実施するための第３の形態の中央維持機構の説明図。
【図１６】本発明を実施するための第４の形態の平面図。
【図１７】本発明を実施するための第４の形態の正面図。
【図１８】図１６の１８−１８線に沿う断面図。
【符号の説明】
【００２６】
１、１Ａ、１Ｂ、１Ｃ：渡り通路、        ２：一方の建物、
３：他方の建物、                            ４：一方の床スラブ、
５：目地部、                                                ６：他方の床スラブ、
７：傾斜面、                                                ８：目地プレート、
９：固定手摺、                                １０、１０Ａ：枢支金具、
１１、１１Ａ：伸縮手摺、                        １２、１２Ａ：中央維持機構、
１３：内側伸縮手摺、                    １４、１４Ａ：軸受部材、
１５：外側伸縮手摺、                    １６：軸受部材、
１７：軸孔、                                                １８：ボルト、
１９：ナット、                                ２０：枢支部材、
２１：軸、                                        ２２：ピニオン、
２３：枢支ピン、                            ２４：ラック、
２５：支持部材、                            ２６：凹部、
２７：カバープレート、                ２８：軸。
【図１】
2008196289.tif 000003
【図２】
2008196289.tif 000004
【図３】
2008196289.tif 000005
【図４】
2008196289.tif 000006
【図５】
2008196289.tif 000007
【図６】
2008196289.tif 000008
【図７】
2008196289.tif 000009
【図８】
2008196289.tif 000010
【図９】
2008196289.tif 000011
【図１０】
2008196289.tif 000012
【図１１】
2008196289.tif 000013
【図１２】
2008196289.tif 000014
【図１３】
2008196289.tif 000015
【図１４】
2008196289.tif 000016
【図１５】
2008196289.tif 000017
【図１６】
2008196289.tif 000018
【図１７】
2008196289.tif 000019
【図１８】
2008196289.tif 000020